(57)【要約】【課題】電気炉から排出される排ガスに含まれるダストを、衛生的に、かつ、当該ダストに含まれる有用金属を効率よく有効利用しながら処理できるようにしたダストの処理方法及びその装置を提供すること。【解決手段】電気炉Ｘから排出される排ガスを集塵機Ｓで濾過することにより該集塵機Ｓから排出されるダストを、造粒機Ｐによってダストペレットに成形し、このダストペレットを気体輸送で電気炉設備に戻して電気炉Ｘで処理する。【選択図】図１
2008086845.tif 000002
【特許請求の範囲】
【請求項１】
電気炉から排出される排ガスを集塵機で濾過することにより該集塵機から排出されるダストを、造粒機によってダストペレットに成形し、該ダストペレットを気体輸送で電気炉設備に戻して電気炉で処理することを特徴とするダストの処理方法。
【請求項２】
集塵機から排出されるダストを造粒機によってダストペレットに成形するに際し、ダストに製鋼用添加剤を添加してダストペレットに成形することを特徴とする請求項１記載のダストの処理方法。
【請求項３】
電気炉から排出される排ガスを濾過する集塵機と、該集塵機から排出されるダストをペレット状に造粒する造粒機と、該造粒機から排出されるダストペレットを電気炉設備に搬送する気体輸送装置とからなることを特徴とするダストの処理装置。
【請求項４】
気体輸送装置の配管に、ブースタノズルを複数配設したことを特徴とする請求項３記載のダストの処理装置。
【発明の詳細な説明】
【技術分野】
【０００１】
本発明は、ダストの処理方法及びその装置に関し、特に、電気炉から排出される排ガスに含まれるダストの処理方法及びその装置に関するものである。
【背景技術】
【０００２】
従来、電気炉から排出される排ガスに含まれるダストの処理方法として、例えば、図６に示すフローによる方法が採用されている。
この従来のダストの処理方法は、電気炉Ｘから排出されるダストを含む排ガスが、吸引ファンＦによって吸引されると、ガスクーラＢ（燃焼塔を用いる場合もある。）を介し、集塵機Ｓ（例えば、バグ式集塵機など）に導入し、集塵機Ｓから排出されるダストをコンベアなどからなる搬送装置Ｃ１によって貯留ホッパＨ１に搬送し、貯留ホッパＨ１から所定量を搬送装置Ｃ２によって造粒機Ｐに搬送し、造粒機Ｐでペレット化した後に、ペレットホッパＨ２に貯留し、その後、ダストペレット回収業者に費用を支払って、処理施設外に運搬車Ｃによって搬出するようにしている。
この際、電気炉Ｘの周辺に浮遊する排ガスは、集塵フードＤによって捕集し、ガスクーラＢを経た排ガスに合流させて集塵機Ｓに送るように構成する。
【０００３】
しかしながら、上記従来のダストの処理方法は、ダストに含有されている鉄等の有用金属がそのまま廃棄されるという問題があり、また、ペレット化したダストの処理は、処理業者に有料で引き取りを依頼することになるため、処理コストの点等でも問題があった。
【発明の開示】
【発明が解決しようとする課題】
【０００４】
本発明は、上記従来のダストの処理方法及びその装置の有する問題点に鑑み、電気炉から排出される排ガスに含まれるダストを、衛生的に、かつ、当該ダストに含まれる有用金属を効率よく有効利用しながら処理できるようにしたダストの処理方法及びその装置を提供することを目的とする。
【課題を解決するための手段】
【０００５】
上記目的を達成するため、本発明のダストの処理方法は、電気炉から排出される排ガスを集塵機で濾過することにより該集塵機から排出されるダストを、造粒機によってダストペレットに成形し、該ダストペレットを気体輸送で電気炉設備に戻して電気炉で処理することを特徴とする。
【０００６】
この場合において、集塵機から排出されるダストを造粒機によってダストペレットに成形するに際し、ダストに製鋼用添加剤を添加してダストペレットに成形することができる。
【０００７】
また、上記本発明のダストの処理方法を実施するために用いられる本発明のダストの処理装置は、電気炉から排出される排ガスを濾過する集塵機と、該集塵機から排出されるダストをペレット状に造粒する造粒機と、該造粒機から排出されるダストペレットを電気炉設備に搬送する気体輸送装置とからなることを特徴とする。
【０００８】
この場合において、気体輸送装置の配管に、ブースタノズルを複数配設することができる。
【発明の効果】
【０００９】
本発明のダストの処理方法及びその装置によれば、電気炉から排出される排ガスを集塵機で濾過することにより該集塵機から排出されるダストを、造粒機を用いてダストペレットに成形し、該ダストペレットを気体輸送で電気炉設備に戻して電気炉で処理することにより、電気炉から排出される排ガスに含まれるダストを、衛生的に、かつ、効率よく有効利用しながら処理、具体的には、ダストに含有されている鉄等の金属成分を金属として、また、非金属成分をスラグとして再生し、有料処理依頼物として処理業者に引き渡すダストの排出量を削減することにより、処理コストを低減することができる。
【００１０】
また、集塵機から排出されるダストを造粒機によってダストペレットに成形するに際し、ダストに製鋼用添加剤を添加してダストペレットに成形することにより、別途、粉体の製鋼用添加剤を電気炉に装入する場合に比べて、製鋼用添加剤の飛散量を低減することができ、コストをかけることなく製鋼用添加剤の効率的な装入を実現することができる。
【００１１】
また、気体輸送装置の配管に、ブースタノズルを複数配設することにより、ダストペレットの粒径が比較的大きくなっても配管内で詰まることなく電気炉設備まで確実に気体輸送することができる。
【発明を実施するための最良の形態】
【００１２】
以下、本発明のダストの処理方法及びその装置の実施の形態を、図面に基づいて説明する。
【実施例１】
【００１３】
図１に、本発明のダストの処理方法及びその装置の第１実施例を示す。
このダストの処理方法及びその装置は、図６に示す従来のダストの処理方法及びその装置と同様（本実施例のダストの処理方法及びその装置の基本的な構成は、図６に示す従来のダストの処理方法及びその装置と同様である。）、電気炉Ｘから排出されるダストを含む排ガスを集塵機Ｓで濾過することにより該集塵機Ｓから排出されるダストを、造粒機Ｐを用いてダストペレットに造粒するようにしている。
【００１４】
ここで、ダストペレットの粒径は、特に限定されるものではないが、通常、１〜２０ｍｍ程度、より好ましくは、５〜２０ｍｍ程度となるようにする。
ダストペレットの粒径が、１ｍｍ未満の場合、電気炉に装入した際に飛散しやすく、そのまま集塵機に集塵されてしまう割合が多くなり、効率的でない。また、２０ｍｍを越える場合、気体輸送装置２の能力を高める必要があり、設備コストが上昇する。
【００１５】
この場合において、ダストの処理装置１は、電気炉Ｘから排出される排ガスを濾過する集塵機Ｓと、該集塵機Ｓから排出されるダストをペレット状に造粒する造粒機Ｐと、該造粒機Ｐから排出されるダストペレットを電気炉Ｘ等からなる電気炉設備に搬送する気体輸送装置２とから構成されている。
【００１６】
気体輸送装置２は、造粒機Ｐから排出されるダストペレットを一時的に貯留するバッファタンク２０と、該バッファタンク２０からダストペレットを配管２２に切り出すバルブ２１と、配管２２内に送られたダストペレットを電気炉Ｘ等からなる電気炉設備まで搬送するための気体を供給するブロワ２４とからなり、配管２２には一定間隔をあけてブースタノズル２３を複数配設するようにしている。
なお、造粒機Ｐとバッファタンク２０との間に、必要に応じて、ダストペレットの貯留タンクやダストペレットの輸送手段等の任意の付帯設備（図示省略）を配設したり、介在することができる。
【００１７】
バルブ２１は、特にその構造を限定されるものではないが、例えば、ロータリバルブ、ダブルフラップダンパ等、配管２２内の圧力をバッファタンク２０側へ漏らすことのない構造のものを採用することができ、バッファタンク２０内のダストペレットを連続的に配管２２へ送り出すようにしている。
【００１８】
そして、この気体輸送装置２は、ブロワ２４から供給される気体により、例えば、配管２２内の圧力を０．０１〜０．１ＭＰａ程度に設定することによって、低圧でダストペレットを搬送することができるから、造粒機Ｐで造粒されるダストペレットの形状が小径で硬度の低い比較的崩れやすいダストペレットであっても、その形状を崩すことなく電気炉Ｘ等からなる電気炉設備に搬送することができる。
【００１９】
また、ダストをペレット状に造粒した上で電気炉Ｘ等からなる電気炉設備に搬送し、電気炉Ｘに装入することにより、ダストが飛散することなく、ダストを衛生的に、かつ、効率よく処理することができる。
【００２０】
この場合、ダストペレットは、気体輸送装置２によって、電気炉Ｘに直接搬送するほか、電気炉Ｘ関連の電気炉設備まで搬送し、その電気炉設備から電気炉Ｘに装入するようにすることができる。
より具体的には、ダストペレットを気体輸送装置２によって搬送する電気炉設備としては、図２の装入経路Ｅ１で示すスクラップ装入用ホッパ３１、装入経路Ｅ２で示すスクラップ装入用コンベア３２、装入経路Ｅ３で示す副原料貯留用ホッパ３３（この場合、ダストペレット専用の貯留用ホッパを設けることもできる。）、装入経路Ｅ４で示す副原料装入用コンベア３４、装入経路Ｅ５で示す副原料装入用ホッパ３５等があり、搬送されたダストペレットは、スクラップ装入口Ｘ１又は副原料装入口Ｘ２を介して、電気炉Ｘに装入することができる。
また、ダストペレットを気体輸送装置２によって搬送する電気炉設備としては、このほか、図３の装入経路Ｅ６で示すスクラップ装入用バケット３６もあり、搬送されたダストペレットは、スクラップと共に、電気炉Ｘに装入することができる。
【実施例２】
【００２１】
図４に、本発明のダストの処理方法及びその装置の第２実施例を示す。
このダストの処理装置１は、気体輸送装置２として、所謂コンプレッサエア方式のものを採用したもので、造粒機Ｐからバッファタンク２０内にダストペレットを一定量送り込んだ後に、ゲートバルブ２６を閉め、バッファタンク２０内にエアレシーバ２５内の圧縮空気をトップエアノズル２７を介して送り込むことによって、ダストペレットを配管２２内に送り、電気炉Ｘ等からなる電気炉設備まで搬送するようにしたものである。
【００２２】
この場合、バッファタンク２０の出口にバルブを配設し、バッファタンク２０の圧力を所定の圧力に昇圧した後に該バルブを開放し、ダストペレットを一気に配管２２内に送り込むようにしてもよい。
また、実施例１と同様に、配管２２には一定間隔をあけてブースタノズル２３を配設するようにしてもよい。
【００２３】
そして、この気体輸送装置２は、トップエアノズル２７から供給される圧縮空気により、例えば、配管２２内の圧力を０．２〜１．０ＭＰａ程度に設定することによって、ダストペレットを高圧で一気に搬送することができるから、造粒機Ｐで造粒する粒径が比較的大きく、硬度の高いダストペレットを効率よく電気炉Ｘ等からなる電気炉設備に搬送することができる。
【００２４】
なお、本実施例のダストの処理方法及びその装置のその他の構成及び作用は、上記第１実施例のものと同様である。
【実施例３】
【００２５】
図５に、本発明のダストの処理方法及びその装置の第３実施例を示す。
このダストの処理方法は、集塵機Ｓから排出されるダストを造粒機Ｐによってダストペレットに成形するに際し、ダストに製鋼用添加剤を添加してダストペレットに成形するようにしたものである。
【００２６】
ダストに添加する製鋼用添加剤としては、電気炉の操業のために必要とされる任意の添加剤を加えることができる。より具体的には、コークス粉のほか、脱酸、脱硫、造滓、スラグ中の酸化鉄の還元、スラグの流動性向上のための添加剤である、金属アルミニウム、酸化アルミニウム、酸化珪素等、さらには、Ｍｎ、Ｍｇ、Ｔｉ、Ｍｇ、Ｃａ等を挙げることができる。
【００２７】
そして、ダストに製鋼用添加剤を添加してダストペレットに成形することができるように、図５に示すように、ダストの処理装置１は、集塵機Ｓから排出されるダストをコンベアなどからなる搬送装置Ｃ１によって貯留ホッパＨ１に搬送し、貯留ホッパＨ１から所定量を搬送装置Ｃ２によって造粒機Ｐに搬送するに際し、添加剤ホッパＡＤ１、ＡＤ２、ＡＤ３、・・・、ＡＤｎから必要とされる任意の添加剤を添加、混合し、造粒機Ｐでペレット化した後に、造粒機Ｐから排出されるダストペレットをバッファタンク２０に貯留するようにしている。
【００２８】
このように、集塵機Ｓから排出されるダストを造粒機Ｐによってダストペレットに成形するに際し、ダストに製鋼用添加剤を添加してダストペレットに成形することにより、別途、粉体の製鋼用添加剤を電気炉に装入する場合に比べて、製鋼用添加剤の飛散量を低減することができ、コストをかけることなく製鋼用添加剤の効率的な装入を実現することができる。
【００２９】
なお、本実施例のダストの処理方法及びその装置のその他の構成及び作用は、上記第１実施例のものと同様である。
【００３０】
以上、本発明のダストの処理方法及びその装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００３１】
本発明のダストの処理方法及びその装置は、電気炉から排出される排ガスに含まれるダストを、衛生的に、かつ、当該ダストに含まれる有用金属を効率よく有効利用しながら処理できることから、新設の電気炉設備を有する施設に用いることができるほか、既設の電気炉設備を有する施設にも、気体輸送装置を設置することによって好適に用いることができる。
【図面の簡単な説明】
【００３２】
【図１】本発明のダストの処理方法及びその装置の第１実施例を示すフロー図である。
【図２】ダストペレットを気体輸送装置によって搬送する電気炉設備の一例を示す説明図である。
【図３】ダストペレットを気体輸送装置によって搬送する電気炉設備の一例を示す説明図である。
【図４】本発明のダストの処理方法及びその装置の第２実施例を示すフロー図である。
【図５】本発明のダストの処理方法及びその装置の第３実施例を示すフロー図である。
【図６】従来のダストの処理方法を示すフロー図である。
【符号の説明】
【００３３】
１    ダストの処理装置
２    気体輸送装置
２１  バルブ
２２  配管
２３  ブースタノズル
２６  ゲートバルブ
Ｐ    造粒機
Ｓ    集塵機
Ｘ    電気炉
【図１】
2008086845.tif 000003
【図２】
2008086845.tif 000004
【図３】
2008086845.tif 000005
【図４】
2008086845.tif 000006
【図５】
2008086845.tif 000007
【図６】
2008086845.tif 000008